(57)【要約】【課題】  柔らかくても美しい木目の木や、安価な木を使用でき、洗いやすく、寿命が伸びる、木の外壁とガラスの内壁とで構成した、保温や保冷を目的とする二重壁を有する飲用コップを提供する。【解決手段】  本考案では、外壁は上端部または上端部付近までを単に木製とするのでなく、木製外壁とガラス製内壁を製造する過程で、木製外壁の内側にガラス製内壁を入れてたとき、唇が木製外壁と接しないように、ガラス製内壁が木製外壁の上端部より上方に、人の唇の当たる幅の分を長くなるよう設計しておく。そして木製外壁の内側にガラス製内壁を入れて、木製外壁の上端部または上端部付近でガラス製内壁とシーリングする。【選択図】  図７
2016123798.tif 000002
【特許請求の範囲】
【請求項１】
木の外壁と、ガラスの内壁とで構成する二重壁を有する飲用コップであって、飲用コップの上端部から下に、人の唇の当たる幅の部分はガラスの一重壁であるが、前記一重壁より下は、木の外壁と、上端部から連続するガラスの内壁とで構成する二重壁を有し、木の外壁の上端部または上端部付近で木の外壁とガラスの内壁がシーリングされたことを特徴とする飲用コップ。
【請求項２】
請求項１の飲用コップにおいて、飲用コップの上端部から下に２センチメートル前後はガラスの一重壁であることを特徴とする飲用コップ。
【発明の詳細な説明】
【技術分野】
【０００１】
本物品は、ガラス製や金属製、樹脂製、陶器製で広く普及している保温や保冷を目的とする二重壁を有する飲用コップに関するものであり、なおかつ、素材の異なる、木を外壁、ガラスを内壁として組み合わせて壁を二重にした飲用コップに関するものである。
【０００２】
なお、紙のコーヒーカップに樹脂製のカバーとして外側に覆って使うような、やけどを防止する目的で、別体のコップとそのカバーが入れ子状のセットになって、ネジ加工の締め付けによらず容易に脱着可能な飲用コップの種類は、コップとカバーの継ぎ目にシール材を用いるなどしてシーリングをしておらず、空気の出入りが大きいために保温や保冷の効果が大きく下がったり、継ぎ目から液体の侵入が起きて汚れるが容易に洗えるなど、目的が異なる。紙コップ向け以外では、別体のコップとそのカバーが入れ子状のセットになっているやけどを防止する目的の飲用コップは普及しておらず、保温や保冷を目的とする飲用コップとはユーザーや市場規模が大きく異なっている。よって、これらの種類のコップは除外する。
【背景技術】
【０００３】
保温や保冷を目的とする二重壁を有する飲用コップは、ガラス製や金属製、樹脂製、陶器製で多くみられるが、木製による二重壁を有する飲用コップは市場に見られない。また、樹脂製の外壁と、金属製の内壁という異なる素材で構成する二重壁を有した飲用コップ（例えば、特許文献１参照）が存在し、木製の外壁とガラス製の内壁という異なる素材で二重壁を構成する飲用コップは、容易に考案できる。
【０００４】
木とガラスという異なる素材で二重壁を構成する飲用コップの場合は、異なる素材の継ぎ目に、液体の侵入や空気の出入りが起きないようにするために、ガラスや金属などの同一素材と異なり、溶かして溶着することができない。そのため異なる素材の継ぎ目には、ガスケットやパッキンや接着剤などの木やガラスとは異なる素材のシール材を用いてシーリングをする必要がある。または木の外壁とガラスの内壁のそれぞれにネジ溝を加工し、締め付けることにより、異種素材同士を密着させることでシーリングを行い、保温や保冷の目的を達成することもできる。また、ネジ加工による締め付けの場合、ネジ加工と合わせて、シール材も同時に用いてシーリングをすることもできる。
【先行技術文献】
【特許文献】
【０００５】
【特許文献１】登録実用新案第３００００２１号公報
【特許文献２】米国特許出願公開第２０１３／０１１９０７５号明細書
【特許文献３】登録実用新案第３１８８３１６号
【非特許文献】
【０００６】
【非特許文献１】「mahadevwood wooden tumbler」Mahadev Wood Industriesホームページ、[online]、［平成２７年１月７日検索］、インターネット＜URL:http://www.mahadevwood.com＞
【非特許文献２】「Wooden Beer mug, natural wood, stainless steel inside」、[online]、［平成２７年１月７日検索］、インターネット＜URL:https://www.etsy.com/listing/117151272/6-wooden-beer-mugs-08-l-27oz-natural＞
【非特許文献３】「Wooden Travel Mug with Stainless Steel Insert and Sliding Sipper Top」、[online]、［平成２７年１月７日検索］、インターネット＜URL:https://www.etsy.com/jp/listing/200765363/birch-with-walnut-accents-wooden?ref=related-0＞
【非特許文献４】「Wooden mug with a handle」、[online]、［平成２７年１月７日検索］、インターネット＜URL:http://cjstileswoodworking.com/wooden-mug-with-a-handle/＞
【発明の概要】
【発明が解決しようとする課題】
【０００７】
木目の美しさや、癒やしなど感覚的理由で、身の回りの調度品や高級車の内装パネルなどに使用される木を、ガラス製や金属製などで広く普及している保温や保冷を目的とする二重壁を有する飲用コップとして製造することは、技術的には可能である。しかし木で二重壁を作る場合、木をくり抜く製造コストがかかったり、大量生産が困難であるなど課題が多い。そこで木の特徴を活かしつつ、外壁は木製のままで、内壁はガラス製という、異なる素材で構成する二重壁を有した飲用コップは容易に考案できる。しかし実際の使用や製造においては、異種素材間のシーリング技術や、木という素材の特性において、次のようないくつかの課題が生じ、その課題ゆえに製品化や普及がしていないのが実情である。
【０００８】
ガラス製や金属製など二重壁を有した飲用コップは、外壁と内壁から構成されており、通常、その外壁と内壁は、コップの上端部または上端部付近で接する。外壁を木製、内壁をガラス製とする二重壁を有した飲用コップを実際に製造する場合、例えば、非特許文献１、２、３、４のように、コップの上端部または上端部付近が異種素材の接する部分となり、この継ぎ目から液体の侵入や空気の出入りが起きないよう、シール材を用いたりネジ加工によってシーリングを行う必要がある。コップの上端部または上端部付近は、人の唇が直接当たる部分であるため、感触が悪くならないように、異種素材の継ぎ目は凹凸や接着剤などによるザラつきのない表面であることが求められる。また、異種素材の継ぎ目に凹凸があると、その凹んだ溝部分に汚れがたまりやすくなり不衛生にもなるので、凹凸のないことが求められる。しかし製造上、ガラスや金属などのように溶かして溶着できない異種素材間の継ぎ目を、ザラつきや凹凸のない表面に仕上げるには、高いシーリング技術や製造コストがかかり、大量生産も困難になる。
【０００９】
センノキやヒノキなど木目の美しさを求めて高級なお椀などを作ることが多いが、それらと同じように木目の美しさを求めて、柔らかい種類の木を使った外壁が木製、内壁がガラス製で構成し、コップの上端部または上端部付近でシーリングした二重壁を有する飲用コップを作った場合、幼い子供がコップの縁を噛んだり、大人がコップを噛んで運んだりすると、容易に凹んで歯形がついてしまうため、美観を損ねたり、寿命が短くなるという欠点がある。さらにもっと柔らかい、木目の美しいカツラや、経済的に安価なスギなどの木を使いたくても、こうした理由で、飲用コップには使えない課題がある。
【００１０】
例えば漆塗りやウレタン塗装等を施した木製のお椀は、使用するうちに木材の表面に塗装された漆や塗料が削れて寿命が短くなるので、ガラス製や金属製や陶器製などの塗装が無い素材のものとは異なり、強くこすったり強い洗剤で洗うことが推奨されない。特に、木の塗装の中では、蜜蝋や柿渋などの高級な塗装や、さらにはヒノキ風呂のような無塗装の木を使ったものも、洗浄に弱い。したがって、外壁が木製、内壁がガラス製で構成し、コップの上端部または上端部付近で接着した二重壁を有する飲用コップを製造する場合、ガラス製や金属製や陶器製などで二重壁を構成するコップより丁寧に扱う必要が出てくる。それにも関わらず、人の唇が当たる部分は、こびりつきやすい茶渋や口紅、唇に付いた料理に含まれる油などで一番汚れる部分であり、外壁が木製であるため洗うのに、ガラス製や金属製や陶器製などより強くこすって洗うことができないなどの不便さを生じる。
【課題を解決するための手段】
【００１１】
本考案は、前記課題を解決すため、以下の構成を採用した。図１は３ヶ月ほど洗剤で洗わないで汚れる範囲を見極める実験をした結果、茶渋などで汚れる範囲がコップの上端部から1センチメートル以上あることを物差しで計測した、白色の陶器製の飲用コップである。唇の大きな人でも、多くの人の唇がコップに当たる部分は、コップの上端部から1センチメートル以上はあり、人にもよるがおよそ２センチメートル前後下までであることが想定された。この唇が当たる部分が考案が解決しようとする課題で記したような、凹凸を感じたり、汚れやすかったり、噛むと木が凹んでしまう部分である。そこで、木製の外壁とガラス製の内壁で構成する二重壁を有した飲用コップを製品化する場合は、外壁は、上端部または上端部付近までを単に木製とするのでなく、コップの上端部から２センチメートル前後下までの、人の唇が当たる部分は、内壁からつながった一重壁のガラス製にして、唇が木製の外壁と当たらないようにした。
【発明の効果】
【００１２】
外壁を木製、内壁をガラス製とする二重壁を有した飲用コップでありながら、人の唇が当たる部分は、異種素材間の継ぎ目による凹凸や接着剤などによるザラつきのない表面にでき、唇に当てた感触を良くしたり、凹凸の溝に汚れがたまりにくく衛生的になる。
【００１３】
外壁を木製、内壁をガラス製とする二重壁を有した飲用コップでありながら、コップの縁を噛んでも、歯形がついて美観を損ねることがなく、寿命が伸びる。
【００１４】
外壁を木製、内壁をガラス製とする二重壁を有した飲用コップでありながら、柔らかい種類の木を使えるので、使用できる木目の美しい木の種類が増えたり、経済的に安価な木を使うことができる。
【００１５】
外壁を木製、内壁をガラス製とする二重壁を有した飲用コップでありながら、人の唇が当たる部分が、化学実験でも使われるガラスであるため、強い洗剤を使ったり強くこするなどして茶渋や口紅や油等の汚れが落としやすく、また、蜜蝋や柿渋などの高級な塗装の木や、さらにはヒノキ風呂のような無塗装の木を外壁に使用でき、コップのデザインの種類を大幅に増やすことができる。
【００１６】
外壁を木製、内壁をガラス製とする二重壁を有した飲用コップでありながら、ウイスキーなどの洋酒を飲む場合、口に当てた時の感触が、お椀や日本酒で使う枡のような連想を抱く木製でなく、ガラス製であるため違和感が少ない。また、同時にウイスキーの樽を連想させる美しい木の外観も楽しむことができる。
【００１７】
コップの上端部から２センチメートル前後下までの人の唇が当たる部分は二重壁にはなっておらず、ガラスの一重壁であるが、実際に飲料をコップに注ぐときは、こぼすことがないようにコップの上端部または上端部付近まで飲料は入れないことが多く、たとえ一重壁部分まで入れることがあっても、その飲料が一重壁部分まで入れられている時間というのは、その飲料を人が飲み干すまでの全体の時間の比率からみれば短いことが多いので、上端部または上端部付近まで二重壁になっていなくても、保温や保冷の効果の減少は、実用上大きな違いを生じにくい。
【００１８】
上記の考案の効果を、低い製造技術や、安い製造コストで実現でき、大量生産をしやすくできる。
【図面の簡単な説明】
【００１９】
【図１】３ヶ月ほど洗剤で洗わないで汚れる範囲を見極める実験をした結果、茶渋などで汚れる範囲がコップの上端部から1センチメートル以上あることを物差しで計測した、白色の陶器製の飲用コップである。
【図２】外壁が木製、内壁がガラス製で構成し、コップの上端部で、厚みのほとんど無い接着剤でシーリングをした、二重壁を有する飲用コップの断面図である。
【図３】外壁が木製、内壁がガラス製で構成し、コップの上端部付近で、厚みのほとんど無い接着剤でシーリングをした、二重壁を有する飲用コップの断面図である。
【図４】外壁が木製、内壁がガラス製で構成し、コップの上端部付近で、木の外壁とガラスの内壁のそれぞれにネジ溝を加工し、締め付けることでシーリングをした、二重壁を有する飲用コップの断面図である。
【図５】外壁が木製、内壁がガラス製で構成し、コップの上端部から唇の当たる部分は、内壁からつながった一重壁のガラス製であり、外壁と内壁を厚みのほとんど無い接着剤でシーリングをした、本考案の斜視図である。
【図６】外壁が木製、内壁がガラス製で構成し、コップの上端部から唇の当たる部分は、内壁からつながった一重壁のガラス製であり、外壁と内壁を厚みのほとんど無い接着剤でシーリングをした、本考案の正面図である。
【図７】外壁が木製、内壁がガラス製で構成し、コップの上端部から唇の当たる部分は、内壁からつながった一重壁のガラス製であり、外壁と内壁を厚みのほとんど無い接着剤でシーリングをした、本考案の断面図である。
【図８】外壁が木製、内壁がガラス製で構成し、コップの上端部から唇の当たる部分は、内壁からつながった一重壁のガラス製であり、外壁と内壁を厚みのあるガスケットやパッキンでシーリングをした、本考案の断面図である。
【図９】外壁が木製、内壁がガラス製で構成し、コップの上端部から唇の当たる部分は、内壁からつながった一重壁のガラス製であり、木の外壁とガラスの内壁のそれぞれにネジ溝を加工し、締め付けることでシーリングをした、本考案の断面図である。
【発明を実施するための形態】
【００２０】
以下、図を参照して本考案を実施するための形態について説明する。図１は、３ヶ月ほど洗剤で洗わないで汚れる範囲を見極める実験をした白色の陶器製のコップであり、実験結果は、唇が触れて茶渋などで汚れる範囲がコップの上端部から1センチメートル以上あることを示している。実際の唇がコップに触れる範囲は、汚れる範囲よりも大きく、さらに欧米人など体の大きな人になれば、唇がコップに触れるはもっと大きくなる。よって唇の大きな人でも、多くの人の唇がコップに当たる部分というのは、コップの上端部から２センチメートル前後下までであることが想定された。人の唇３は、コップで飲料を飲むときに、人の唇がコップと接触している状況を、二点鎖線による想像線で表している。図２および図３および図４は、コップの上端部または上端部付近でシーリングした二重壁を有する飲用コップであり、人がコップを傾けて飲料を飲む状況を表している。図２は、厚みがほとんど無い接着剤によるシール材を用いて、コップの上端部でシーリングした事例である。図３は、厚みがほとんど無い接着剤によるシール材を用いて、コップの上端部付近でシーリングした事例である。図４は、木の外壁とガラスの内壁のそれぞれにネジ溝を加工して締め付けることで、コップの上端部付近でシーリングした事例である。これら図２および図３および図４のコップの事例は、コップの上端部または上端部付近でシーリングしているため、人の唇３が木製外壁１と接しており、考案が解決しようとする課題に記した課題が生じてしまう。
【００２１】
本考案では、木製外壁１とガラス製内壁２を製造する過程で、木製外壁１の内側にガラス製内壁２を入れてたとき、唇が木製外壁１と接しないようにするため、ガラス製内壁２が木製外壁の上端部１ａより上方に、人の唇の当たる幅の分を長く設計しておく。そして木製外壁１の内側にガラス製内壁２を入れて、木製外壁の上端部１ａでガラス製内壁２とシーリングする。
【実施例１】
【００２２】
図５および図６および図７は、人の唇が木製外壁１に当たらないようガラス製内壁２を木製外壁の上端部１ａより上方に、人の唇の当たる幅の分を長くしたコップで、木とガラスの継ぎ目は、厚みがほとんど無い接着剤によるシール材を用いて、木製外壁の上端部１ａでシーリングをした事例である。
【実施例２】
【００２３】
図８は、人の唇が木製外壁１に当たらないようガラス製内壁２を木製外壁の上端部１ａより上方に、人の唇の当たる幅の分を長くしたコップで、木とガラスの継ぎ目は、厚みがあるガスケットやパッキンなどによるシール材４を用いて、木製外壁の上端部１ａ付近でシーリングをした事例である。
【実施例３】
【００２４】
図９は、人の唇が木製外壁１に当たらないようガラス製内壁２を木製外壁の上端部１ａより上方に、人の唇の当たる幅の分を長くしたコップで、木とガラスの継ぎ目は、木の外壁の上端部付近とガラスの内壁のそれぞれにネジ溝５を加工して締め付けることで、木製外壁の上端部１ａ付近でシーリングをした事例である。
【符号の説明】
【００２５】
１  木製外壁
１ａ  木製外壁の上端部
２  ガラス製内壁
３  人の唇
４  ガスケットやパッキンなどによる厚みがあるシール材
５  ネジ溝
【図１】
2016123798.tif 000003
【図２】
2016123798.tif 000004
【図３】
2016123798.tif 000005
【図４】
2016123798.tif 000006
【図５】
2016123798.tif 000007
【図６】
2016123798.tif 000008
【図７】
2016123798.tif 000009
【図８】
2016123798.tif 000010
【図９】
2016123798.tif 000011